(57)【要約】【課題】仕切部材に載置された被収納物を仕切部材ごと収納箱から取り出してテーブルに置き、あるいは収納棚などに保管することができる仕切部材を備えた収納箱を提供する。【解決手段】収納箱１に配置され被収納物が整列した状態で載置される仕切り部材３を少なくとも２つ備えた収納箱１であって、前記仕切り部材３は被収納物の一端部を保持する保持部６を備えており、被収納物が載置された状態で収納箱１から取り出された仕切り部材３は保持部６が被収納物の一端部を保持した状態で自立可能である。【選択図】図３
2015020802.tif 000002
【特許請求の範囲】
【請求項１】
被収納物を収納するための収納箱であって、
被収納物を収納箱内で整列させた状態に保持するための仕切り部材を少なくとも１つ備えており、
前記仕切り部材は被収納物の一端部を保持するための保持部を備えており、
前記仕切り部材は、被収納物を保持した状態で、収納箱から取り出し可能に構成しており、
かつ収納箱から取り出された前記仕切り部材は、前記保持部が被収納物の一端部を保持した状態で自立可能に構成してなることを特徴とする収納箱。
【請求項２】
前記保持部は、端面に被収納物の一端部が挿入される孔部を開口した箱部であることを特徴とする請求項１に記載の収納箱。
【請求項３】
前記孔部の開口端を形成する辺のうち、被収納物の裏面側が当接する辺を傾斜させてなることを特徴とする請求項２に記載の収納箱。
【請求項４】
前記仕切り部材は背板を備えており、
前記背板には吊り下げ用の係止部が設けられていることを特徴とする請求項１〜３のいずれか１項に記載の収納箱。
【請求項５】
前記係止部は、係止孔であることを特徴とする請求項４に記載の収納箱。
【発明の詳細な説明】
【技術分野】
【０００１】
本発明は、スティックタイプのコーヒーなどの被収納物を収納する収納箱に関する。
【背景技術】
【０００２】
従来、細長い袋状の容器に充填されたスティックタイプのコーヒー（以下、「スティックコーヒー」という。）などを詰め合わせて贈答品として販売する場合には、収納箱の内部に仕切部材が配置され、スティックコーヒーなどはこの仕切部材で区画された仕切空間に配置され、整列された状態で収納箱に収納されていた。また、このスティックコーヒーを使用する場合には、収納箱を収めている収納棚などから収納箱を取り出して、収納箱の蓋を開け、必要な本数のスティックコーヒーを仕切空間から取り出して、再び収納箱の蓋を閉めて、元の収納棚などに戻して収納していた。
【先行技術文献】
【特許文献】
【０００３】
【特許文献１】特開２００９−１０７６８６号公報
【発明の概要】
【発明が解決しようとする課題】
【０００４】
このように、使用者がスティックコーヒーなどを使用する場合には、その都度収納棚から収納箱を取り出して蓋を開け、必要な本数のスティックコーヒーを仕切空間から取り出さねばならず、出し入れの手間が掛かるという問題があった。一方で、一々収納箱からスティックコーヒーを取り出す手間を省くため、予めスティックコーヒーを纏めて収納箱から取り出しておくことも考えられるが、この場合は未使用のスティックコーヒーが嵩張り、その置き場所の管理も面倒となる。
【０００５】
本発明は、従来のこのような問題点を解決するためになされたものである。本発明の主な目的は、仕切部材に保持されたスティックコーヒーなどの被収納物を仕切部材ごと収納箱から取り出してテーブルに置き、あるいは収納棚などに保管することができる仕切部材を備えた収納箱を提供することである。
【課題を解決するための手段及び発明の効果】
【０００６】
上記目的を達成するために、本発明の一の収納箱によれば、被収納物を収納するための収納箱であって、被収納物を収納箱内で整列させた状態に保持するための仕切り部材を少なくとも１つ備えており、前記仕切り部材は被収納物の一端部を保持するための保持部を備えており、前記仕切り部材は、被収納物を保持した状態で、収納箱から取り出し可能に構成しており、かつ収納箱から取り出された前記仕切り部材は、前記保持部が被収納物の一端部を保持した状態で自立可能に構成してなる。
【０００７】
上記構成によると、まとまった本数の被収納物が載置された仕切部材を収納箱から取り出してテーブルに置き、あるいは収納棚などに保管することができる。これによって手間を掛けずに被収納物を使用することができ、被収納物を嵩張らずにコンパクトに保管することができる。
【０００８】
また、保持部は、端面に被収納物の一端部が挿入される孔部を開口した箱部である。
【０００９】
上記構成によると、被収納物の一端部は、孔部に挿入されて位置決めされた状態で箱部に収納されて確実に保持される。
【００１０】
また、孔部の開口端を形成する辺のうち、被収納物の裏面側が当接する辺を傾斜させてなる。
【００１１】
上記構成によると、孔部にまとめて挿入されるコーヒースティックの表面を斜め前方に向けて並ばせることができ、各コーヒースティックの袋の表示を見易くすることができる。
【００１２】
また、仕切り部材は背板を備えており、前記背板には吊り下げ用の係止部が設けられている。
【００１３】
上記構成によると、吊り下げ紐などを係止部に引っ掛けて仕切り部材を吊り下げることができる。
【００１４】
また、係止部は、係止孔である。
【００１５】
上記構成によると、吊り下げ紐などを係止孔に通して仕切り部材を吊り下げることができる。
【図面の簡単な説明】
【００１６】
【図１】本発明の第１の実施形態に係る収納箱の部品構成を示す斜視図である。
【図２】コーヒースティックが仕切部材に載置された収納箱の斜視図である。
【図３】複数本のコーヒースティックが載置された仕切部材を直立させた状態の斜視図である。
【図４】２つの仕切部材の載置部同士を背中合わせに当接させて直立させた状態の斜視図である。
【図５】端部側に係止孔が形成された仕切部材を直立させた状態の斜視図である。
【図６】第２の実施形態に係る仕切部材の斜視図である。
【発明を実施するための形態】
【００１７】
以下、本発明の第１の実施形態について図面に基づいて説明する。ただし、以下に示す実施例は、本発明の技術思想を具体化するための収納箱を例示するものであって、収納箱を以下のものに特定するものではない。
【００１８】
図１は本発明の第１の実施形態に係る収納箱１の部品構成を示す斜視図である。図２は収納箱１に仕切部材３が配置され、さらに被収納物であるコーヒースティックが仕切部材３に載置された状態を示す斜視図である。収納箱１は、紙製の収納箱本体２と、収納箱本体２の内部に設置される複数個の仕切部材３と、蓋体４とを備えている。
【００１９】
収納箱本体２は、ブランク材を組み立てて形成され、上部が開口した浅底な直方体である。仕切部材３は、ブランク材を組み立てて形成され、コーヒースティックが載置される載置部５と、載置部５に載置されたコーヒースティックの一端部を保持する保持部６とを備えている。載置部５は長方形の平板である。保持部６は、箱状に形成されており載置部５の端面から一定の幅を持って載置部５の表面を覆っている。保持部６の端面７には、コーヒースティックが挿入される複数の孔部８が形成されている。孔部８は略平行四辺形であり、載置部５の表面に平行な２つの辺８ａ，８ｂと、この２つ辺に対して傾斜した互いに平行な２つの辺８ｃ，８ｄとを備えている。
【００２０】
コーヒースティックは複数本がまとめて孔部８に挿入されるが、孔部８を構成する傾斜した一辺８ｄ側に位置するコーヒースティックは裏面が一辺８ｄに当接して斜めに傾いた状態で挿入される。孔部８に挿入される他のコーヒースティックは一辺８ｄ側に挿入されたコーヒースティックの姿勢に合わせて順次当接した状態で保持部６に収容される。このように孔部８にまとめて挿入された複数本のコーヒースティックは表面が斜め前方に向いているので、各コーヒースティックの袋の表示が見易くなる。
【００２１】
本実施の形態では、収納箱本体２に２つの仕切部材３が載置されるが、このとき２つの仕切部材３の載置部５が収納箱本体２の底面１１を覆っており、仕切部材３は収納箱本体２に載置された状態で位置決めされる。したがって、仕切部材３を収納箱本体２に位置決めするための部材は設けられていない。
【００２２】
図２に示すように収納箱本体２に載置される２つの仕切部材３は同じ方向に向いているが、２つの仕切部材３を突き合わせて左右対称に載置することもできる。あるいは仕切部材３を横方向に隣合わせに並べて、仕切部材３に挿入されるコーヒースティックの向きを統一することもできる。
【００２３】
図３は複数本のコーヒースティックが載置された仕切部材３を収納箱１から取り出して直立させた状態の斜視図である。仕切部材３の保持部６は箱状に形成されており裏面１３をテーブルなどに接地させて安定した状態で直立させることができる。仕切部材３に載置されたコーヒースティックは下部が保持部６に挿入されて垂直方向に向いており、保持部６の上方に突出しているコーヒースティックの上部側を把持して簡単に仕切部材３から取り出すことができる。
【００２４】
図４に示すように、２つの仕切部材３の載置部５同士を背中合わせに当接させてテーブルなどに設置することができる。このようにすると、仕切部材３をさらに安定した状態で設置することができる。この場合には仕切部材３の向きに関係なくあらゆる方向からコーヒースティックを目視することができ、取り出し易くなる。
【００２５】
図５は載置部５の保持部６が設けられていない端部側に係止部である係止孔１４が形成されている仕切部材３の斜視図である。この係止孔１４に吊り下げ紐などを引っ掛けて仕切部材３を吊り下げることができる。
【００２６】
図６は第２の実施形態に係る仕切部材２１の斜視図である。図５に示すように仕切部材２１の載置部２２の幅Ｌ１を保持部２３の幅Ｌ２に合わせることもできる。仕切部材２１には載置部２２の両側部に突出する係合片２４が形成されており、この係合片２４を収納箱本体２に形成した不図示の切り込みに嵌め込んで、仕切部材２１の位置決めをすることができる。
【００２７】
このような仕切部材２１では保持部２３の孔部２６が形成されている端面２５から上方に伸延する載置部２２の平板部分がないので、たとえば仕切部材２１を直立させてテーブルに置いた場合に、仕切部材２１の背面側（載置部２２側）からも容易にコーヒースティックを取り出すことができる。なお、収納箱本体２の底面１１に予め底板を設置しておき、仕切部材２１をこの底板に載置することもできる。このようにすると、収納箱本体２の底面１１が隠れるので外観を美的に処理することができる。
【００２８】
第１または第２の実施形態では仕切部材３，２１にコーヒースティックを１０本まとめて収納しているが、収納するコーヒースティックを少なくして仕切部材３，２１をよりコンパクトにすることもできる。
【産業上の利用可能性】
【００２９】
本発明の収納箱は、スティックタイプのコーヒーやスティックタイプの砂糖、その他の食品や医薬品類、機械部品などの被収納物を収納する収納箱として好適に利用できる。
【符号の説明】
【００３０】
１…収納箱
２…収納箱本体
３，２１…仕切部材
４…蓋体
５，２２…載置部
６，２３…保持部
７，２５…端面
８，１４，２６…孔部
８ａ，８ｂ，８ｃ，８ｄ…辺
１１…底面
１３…裏面
１４…係止孔
２４…係合片
【図１】
2015020802.tif 000003
【図２】
2015020802.tif 000004
【図３】
2015020802.tif 000005
【図４】
2015020802.tif 000006
【図５】
2015020802.tif 000007
【図６】
2015020802.tif 000008